(57)【特許請求の範囲】
【請求項１】
上下階の間に配設されると共に上階の床を構成し、かつ、前記上下階の間での透光及び通気を可能とする複数の貫通孔が形成された床部材と、
前記床部材の下方に配設され、前記上下階の間での透光及び通気を遮断可能な遮断手段と、
前記貫通孔に差し込まれて前記貫通孔の内壁に着脱可能に固定される筐体を有すると共に、前記筐体内に設けられた光源で前記上階を照明する照明手段と、
を備える建物構造。
【請求項２】
前記筐体の側部に取り付けられた板バネを備え、
前記板バネは、
前記筐体の前記貫通孔への差し込み状態において上端を支点に下端が前記内壁側へ付勢された付勢部分と、
前記筐体の前記貫通孔への差し込み状態において前記付勢部分の下端から前記貫通孔の下縁へ張り出す張出部分と、
を有する
請求項１に記載の建物構造。
【請求項３】
前記照明手段は、寒色系の光を発する寒色系光源と、暖色系の光を発する暖色系光源と、を有して構成され、
前記寒色系光源及び前記暖色系光源のそれぞれを所定タイミングで動作させる制御部を備える請求項１又は請求項２に記載の建物構造。
【請求項４】
前記照明手段は、起点から目標箇所まで複数配設され、検知された識別情報に基づき起点から目標箇所まで点灯する請求項１〜３のいずれか１項に記載の建物構造。
【請求項５】
開放されて通気可能であると共に、閉鎖されて通気を遮断可能な建具を備え、
前記遮断手段は、前記建具の閉鎖に連動して前記上下階の間での透光及び通気を遮断し、前記建具の開放に連動して前記上下階の間での透光及び通気を可能にする請求項１〜４のいずれか１項に記載の建物構造。
【請求項６】
前記遮断手段の下方に設けられると共に下階の天井を構成し、かつ、前記上下階の間での透光及び通気を可能とする複数の貫通孔が形成された天井部材を備える請求項１〜５のいずれか１項に記載の建物構造。
【請求項７】
前記床部材と前記天井部材との間に配設され、前記照明手段に電力を供給可能な蓄電池を備える請求項６に記載の建物構造。
【請求項８】
前記床部材と前記天井部材との間の気温が所定温度に達すると、前記遮断手段を作動させて前記上下階の間での通気を可能とする駆動制御部を備える請求項７に記載の建物構造。
【請求項９】
前記天井部材の下方に設けられた駐車スペースと、
予め登録された自動車のバッテリーに電気的に接続可能な接続端子を一端部に有すると共に他端部が前記蓄電池に電気的に接続され、前記自動車の前記駐車スペースへの進入が検知されると前記天井部材の貫通孔を通じて前記接続端子が前記駐車スペースへ下降される充電ケーブルと、
を備える請求項７に記載の建物構造。
【発明の詳細な説明】
【技術分野】
【０００１】
本発明は、上下階の間での透光及び通気を可能とする複数の貫通孔が形成された床部材を備える建物構造に関する。
【背景技術】
【０００２】
特許文献１には、グレーチングで構成された床パネルを吹き抜け部に設置し、上下階の間で透光及び通気を可能とする室内空間構造が開示されている。
【先行技術文献】
【特許文献】
【０００３】
【特許文献１】特開２００６−２６５９８７号公報
【発明の概要】
【発明が解決しようとする課題】
【０００４】
しかしながら、特許文献１に開示された構造では、自然任せで採光や通気がなされるため、採光や通気を制御できず、採光や通気が不要な場合であっても、採光や通気がなされてしまう。
【０００５】
本発明は、上下階の間での透光及び通気を可能とする複数の貫通孔が形成された床部材を備える建物構造において、上下階の間での採光や通気を制御できるようにすることを課題とする。
【課題を解決するための手段】
【０００６】
本発明の請求項１に係る建物構造は、上下階の間に配設されると共に上階の床を構成し、かつ、前記上下階の間での透光及び通気を可能とする複数の貫通孔が形成された床部材と、前記床部材の下方に配設され、前記上下階の間での透光及び通気を遮断可能な遮断手段と、前記貫通孔に差し込まれて前記貫通孔の内壁に着脱可能に固定される筐体を有すると共に、前記筐体内に設けられた光源で前記上階を照明する照明手段と、を備える。
【０００７】
この構成によれば、上階の床を構成する床部材の貫通孔を通じて、上下階の間で透光及び通気がなされる。この透光及び通気は、遮断手段によって遮断できる。従って、遮断手段を作動させ、又は作動させないことにより、上下階の間での採光や通気を制御できる。
【０００９】
請求項１の構成によれば、床部材の貫通孔に差し込まれた照明手段を取り外して、他の貫通孔に付け替えることができる。これにより、床部材に対する照明手段の設置場所を自由に変えることができる。
【００１０】
本発明の請求項３に係る建物構造は、前記照明手段は、寒色系の光を発する寒色系光源と、暖色系の光を発する暖色系光源と、を有して構成され、前記寒色系光源及び前記暖色系光源のそれぞれを所定タイミングで動作させる制御部を備える。
【００１１】
この構成によれば、制御部が、寒色系光源及び暖色系光源のそれぞれを所定タイミングで動作させる。寒色系光源が動作されると、寒色系の光によって上階が照明される。これにより、上階の空間において、涼しさを演出することができる。また、暖色系光源が動作されると、暖色系の光によって上階が照明される。これにより、上階の空間において、温かみを演出することができる。
【００１２】
本発明の請求項４に係る建物構造は、前記照明手段は、起点から目標箇所まで複数配設され、検知された識別情報に基づき起点から目標箇所まで点灯する。
【００１３】
この構成によれば、検知された識別情報に基づき、起点から目標箇所まで複数配設された照明手段が点灯する。これにより、起点から目標箇所まで点灯する複数の照明手段によって、識別情報を所持する者を起点から目標箇所まで誘導できる。
【００１４】
本発明の請求項５に係る建物構造は、開放されて通気可能であると共に、閉鎖されて通気を遮断可能な建具を備え、前記遮断手段は、前記建具の閉鎖に連動して前記上下階の間での透光及び通気を遮断し、前記建具の開放に連動して前記上下階の間での透光及び通気を可能にする。
【００１５】
この構成によれば、建具の閉鎖に連動して上下階の間での透光及び通気が遮断され、建具の開放に連動して上下階の間での透光及び通気が可能になる。建具の開閉操作と別個に遮断手段の操作をすることなく、開放された建具から入る光・風を、上下階の間で透光・通気させることができる。
【００１６】
本発明の請求項６に係る建物構造は、前記遮断手段の下方に設けられると共に下階の天井を構成し、かつ、前記上下階の間での透光及び通気を可能とする複数の貫通孔が形成された天井部材を備える。
【００１７】
この構成によれば、下階の天井を構成する天井部材の貫通孔及び床部材の貫通孔を通じて、上下階の間で透光及び通気がなされる。この透光及び通気は、遮断手段によって遮断できる。ここで、請求項９の構成では、遮断手段が天井部材によって隠れるので、下階の天井の見栄えが良くなる。
【００１８】
本発明の請求項７に係る建物構造は、前記床部材と前記天井部材との間に配設され、前記照明手段に電力を供給可能な蓄電池を備える。
【００１９】
この構成によれば、蓄電池に貯められた電力を照明手段に供給できる。ここで、蓄電池は、床部材と天井部材との間に配設されているので、床部材及び天井部材の貫通孔を通じた通気により、蓄電池の冷却を行うことができる。
【００２０】
本発明の請求項８に係る建物構造は、前記床部材と前記天井部材との間の気温が所定温度に達すると、前記遮断手段を作動させて前記上下階の間での通気を可能とする駆動制御部を備える。
【００２１】
この構成によれば、床部材と天井部材との間の気温が所定温度に達すると、駆動制御部によって、遮断手段が作動され、上下階の間での通気が可能な状態となる。これにより、床部材と天井部材との間の気温が上昇した場合でも、床部材及び天井部材の貫通孔を通じた通気により、蓄電池の効果的に冷却を行うことができる。
【００２２】
本発明の請求項９に係る建物構造は、前記天井部材の下方に設けられた駐車スペースと、予め登録された自動車のバッテリーに電気的に接続可能な接続端子を一端部に有すると共に他端部が前記蓄電池に電気的に接続され、前記自動車の前記駐車スペースへの進入が検知されると前記天井部材の貫通孔を通じて前記接続端子が前記駐車スペースへ下降される充電ケーブルと、を備える。
【００２３】
この構成によれば、予め登録された自動車が、天井部材の下方の駐車スペースに進入すると、蓄電池に接続された充電ケーブルの接続端子が、天井部材の貫通孔を通じて駐車スペースへ下降される。これにより、予め登録された自動車の利用者は、充電ケーブルを自動車のバッテリーに接続して充電することができる。このように、予め登録された自動車の駐車スペースの進入により、充電ケーブルの接続端子が自動的に駐車スペースへ下降されるので、自動車の利用者の利便性が向上する。
【発明の効果】
【００２４】
本発明は、上記構成としたので、上下階の間での透光及び通気を可能とする複数の貫通孔が形成された床部材を備える建物構造において、上下階の間での採光や通気を制御できる。
【図面の簡単な説明】
【００２５】
【図１】第１実施形態に係る建物構造を概略的に示す斜視図である。
【図２】第１実施形態に係る建物構造において、上グレーチングを開いた状態を示し斜視図である。
【図３】第１実施形態に係る建物構造の要部を拡大して示す斜視図である。
【図４】第１実施形態に係るルーバーの開閉機構を模式的に示す側断面図である。
【図５】第１実施形態に係るルーバーの開閉機構の変形例を模式的に示す側断面図である。
【図６】第１実施形態に係る照明装置を示す斜視図である。
【図７】第１実施形態に係る照明装置の上グレーチングへの取付を説明するための説明図である。
【図８】第１実施形態に係る照明装置を作動させた状態を示す側断面図である。
【図９】第２実施形態に係る建物構造の要部を模式的に示す側断面図である。
【図１０】第２実施形態に係る建物構造において、１階と２階との間での透光及び通気を遮断した遮断状態を示す側断面図である。
【図１１】第３実施形態に係る建物構造の要部を模式的に示す側断面図である。
【図１２】第３実施形態に係る建物構造の変形例の要部を模式的に示す側断面図である。
【図１３】第４実施形態に係る建物構造の要部を模式的に示す側断面図である。
【図１４】第４実施形態に係る建物構造の第１変形例の要部を模式的に示す側断面図である。
【図１５】第５実施形態に係る建物構造を概略的に示す斜視図である。
【図１６】第５実施形態に係る建物構造の第１変形例を模式的に示す側断面図である。
【図１７】第５実施形態に係る建物構造の第２変形例を模式的に示す側断面図である。
【図１８】第５実施形態に係る建物構造の第２変形例において、複数人を同時に部屋へ案内する場合を示す側断面図である。
【図１９】第６実施形態に係る建物構造を模式的に示す概略図である。
【図２０】第６実施形態に係る建物構造を模式的に示す概略図である。
【図２１】第６実施形態に係る建物構造の第１変形例の要部を模式的に示す側断面図である。
【発明を実施するための形態】
【００２６】
以下に、本発明に係る実施形態の一例を図面に基づき説明する。
［第１実施形態］
（第１実施形態に係る建物構造）
まず、第１実施形態に係る建物構造を説明する。図１は、第１実施形態に係る建物構造を概略的に示す斜視図である。
【００２７】
建物構造１０は、図１に示すように、１階と２階との間に配設され２階の床を構成する床部材としてのグレーチング１２と、１階と２階との間に配設され１階の天井を構成する天井部材としてのグレーチング１１と、を備えている。以下、グレーチング１１とグレーチング１２との区別をつけるために、グレーチング１１の上側に配設されたグレーチング１２を上グレーチング１２と称し、グレーチング１１を下グレーチング１１と称する。
【００２８】
上グレーチング１２は、例えば、人が通行する方向に沿って（具体的には、玄関口が向く方向に対して垂直な方向に）複数枚が配列されて、２階の廊下部分をなしている。下グレーチング１１は、例えば、上グレーチング１２の配列方向に沿って配列されて、１階の廊下の天井部分をなしている。なお、上グレーチング１２及び下グレーチング１１の配列方向は、上記の方向に限られるものではなく、適宜、設計変更可能である。
【００２９】
下グレーチング１１及び上グレーチング１２は、図２及び図３に示すように、矩形の板状に形成されている。下グレーチング１１及び上グレーチング１２には、それぞれ、１階と２階との間での透光及び通気を可能とする複数の貫通孔１１Ａ・１２Ａが形成されている。
【００３０】
これにより、例えば、２階の廊下の長手方向一端部に配設された窓５２からの太陽光は、図１の矢印Ａで示すように、貫通孔１１Ａ・１２Ａを通過して１階に達するようになっている。また、１階からの風は、図１の矢印Ｂで示すように、貫通孔１１Ａ・１２Ａを通過して２階へ達するようになっている。
【００３１】
窓５２からの太陽光が貫通孔１１Ａ・１２Ａを通過することで形成される上グレーチング１２及び下グレーチング１１の影は、１階の壁５４に映し出され、１階の空間に変化をつけられるようになっている。なお、図１に示すように、上グレーチング１２及び下グレーチング１１の影がきれいに映し出されるように、スクリーン５１やミラー等を１階の壁５４に設けても良い。
【００３２】
各下グレーチング１１は、建物構造１０の構造体を構成する壁５４及び壁５５に対して固定されている。各上グレーチング１２は、図２に示すように、複数の居室のドア５６と対向する壁５５に対して開閉可能に取り付けられている。具体的には、上グレーチング１２は、一端部がヒンジ（図示省略）によって壁５５に取り付けられることで、他端部が持ち上げられて開かれるようになっている。このように、上グレーチング１２を開くことにより、上グレーチング１２と下グレーチング１１との間に配設された後述のルーバー１４や照明装置２４にアクセスできるようになっている。なお、図１においては、ドア５６と対向する壁５５の図示を省略している。
【００３３】
また、下グレーチング１１及び上グレーチング１２は、壁５４及び壁５５以外の梁や柱などの構造体に対して固定又は取り付けられていても良い。また、下グレーチング１１及び上グレーチング１２は、壁５４や壁５５や梁や柱などの構造体に直接、固定又は取り付けられる構成に限られず、当該構造体に設けられた取付部材を介して、当該構造体に固定又は取り付けられていても良い。当該取付部材としては、例えば、下グレーチング１１及び上グレーチング１２の外周を囲むように枠状に形成された枠状部材とすることができる。
【００３４】
下グレーチング１１と上グレーチング１２との間には、図１及び図３に示すように、１階と２階との間での透光及び通気を遮断可能な遮断手段としてのルーバー１４が配設されている。すなわち、ルーバー１４は、下グレーチング１１の上方であって、かつ、上グレーチング１２の下方に配設されている。
【００３５】
ルーバー１４は、図４に示すように、回動軸１４Ｂによって回動可能に、壁５４及び壁５５（図２参照）に支持された複数の羽板１４Ａで構成されている。ルーバー１４には、羽板１４Ａの向きを変更することで、ルーバー１４を開閉する開閉機構１６が設けられている。
【００３６】
開閉機構１６は、例えば、羽板１４Ａの配列方向に沿って配設された第１リンク部材１８と、第１リンク部材１８に連結された第２リンク部材２０と、第２リンク部材２０を回動させる駆動モータ２２と、を備えている。
【００３７】
第１リンク部材１８は、回動軸１４Ｂから外れた位置で各羽板１４Ａに対して回動可能に連結されている。第２リンク部材２０は、長手方向一端部が駆動モータ２２の駆動軸に回動可能に支持されている。第２リンク部材２０の長手方向他端部には、第１リンク部材１８の長手方向一端部を、回動可能であって、かつ、第２リンク部材２０長手方向に沿ってスライド移動可能に支持するための長孔２０Ａが形成されている。なお、駆動モータ２２は、スイッチ２５の操作により作動するようになっている。
【００３８】
これにより、駆動モータ２２は、第１リンク部材１８をその長手方向の一方へ移動させることで各羽板１４Ａが倒れてルーバー１４が閉まる閉位置と、第１リンク部材１８をその長手方向の他方へ移動させることで各羽板１４Ａが起きてルーバー１４が開く開位置と、の間で、第２リンク部材２０を回動するようになっている。
【００３９】
なお、上述した開閉機構１６は、一例であって、種々の機械要素を用いて構成することが可能である。例えば、開閉機構１６としては、図５に示すように、第２リンク部材２０に替えて、長手方向一端部が操作部２３Ｂとされた操作レバー２３を用いても良い。操作レバー２３の長手方向中央部が回動軸２３Ｃによって回動可能に支持されている。操作レバー２３の長手方向他端部には、第２リンク部材２０における長孔２０Ａと同様に機能する長孔２３Ａが形成されている。
【００４０】
これにより、第１リンク部材１８をその長手方向の一方へ移動させることで各羽板１４Ａが倒れてルーバー１４が閉まる閉位置と、第１リンク部材１８をその長手方向の他方へ移動させることで各羽板１４Ａが起きてルーバー１４が開く開位置と、の間で、操作レバー２３を回動操作できるようになっている。
【００４１】
また、ルーバー１４及び開閉機構１６は、下グレーチング１１及び上グレーチング１２と同様に、壁５４及び壁５５以外の梁や柱などの構造体に対して支持されていても良い。また、ルーバー１４及び開閉機構１６は、壁５４や壁５５や梁や柱などの構造体に直接、支持される構成に限られず、当該構造体に設けられた支持部材を介して、当該構造体に支持されていても良い。
【００４２】
図３に示すように、上グレーチング１２の貫通孔１２Ａに着脱可能に差し込まれ、２階を照明する照明手段としての照明装置２４が設けられている。
【００４３】
照明装置２４は、図６に示すように、直方体形状に形成された筐体２６を備えている。筐体２６の内部には、ＬＥＤ光源２８と、ＬＥＤ光源２８へ電力を供給する電源３０と、が設けられている。
【００４４】
ＬＥＤ光源２８は、筐体２６に設けられたガラス等の透明部材３２を通じて、筐体２６外部に光を照射するようになっている。電源３０には、スイッチ３８の操作による駆動及び停止（オンオフ）の信号を送る信号線３４が接続されている。信号線３４等の配線類も上グレーチング１２と下グレーチング１１との間に配設されている。配線類は、壁５４又は壁５５側の端に寄せて配設されことで目立たないようになっている。
【００４５】
筐体２６の側部には、上グレーチング１２の貫通孔１２Ａに筐体２６を着脱可能に固定するための板バネ３６が取り付けられている。
【００４６】
板バネ３６は、図７に示すように、筐体２６より離れるように筐体２６の側部から図７における斜め上方へ延びる基端部３６Ａと、筐体２６より離れるように基端部３６Ａの先端から図７における斜め下方へ延びる中間部３６Ｂと、筐体２６より離れるように中間部３６Ｂの先端から図７における斜め上方へ延びる先端部３６Ｃと、を備えて構成されている。なお、図７における上方とは、照明装置２４の光照射方向であって、図７における下方とは、照明装置２４の光照射方向の逆方向である。
【００４７】
中間部３６Ｂが基端部３６Ａに対して折り畳まれることで、板バネ３６は弾性変形する。板バネ３６が弾性変形した変形状態において、照明装置２４は、上グレーチング１２の貫通孔１２Ａに差込可能とされる。弾性変形した板バネ３６の中間部３６Ｂは、先端部が外側に広がる方向に付勢される。これにより、上グレーチング１２の貫通孔１２Ａに差し込まれた照明装置２４は、上グレーチング１２に対して固定される。
【００４８】
（第１実施形態に係る作用）
次に、第１実施形態に係る作用を説明する。
【００４９】
第１実施形態に係る建物構造１０によれば、駆動モータ２２が第２リンク部材２０を開位置へ回動することにより、ルーバー１４が開かれる。ルーバー１４が開かれた状態において、上グレーチング１２の貫通孔１２Ａ及び下グレーチング１１の貫通孔１１Ａを通じて、１階と２階との間の透光及び通気がなされる。
【００５０】
駆動モータ２２が第２リンク部材２０を閉位置へ回動することにより、ルーバー１４が閉じられる。ルーバー１４が閉じられた状態においては、１階と２階との間の透光及び通気が遮断される。従って、ルーバー１４の開閉により、１階と２階との間での採光や通気を制御できる。
【００５１】
また、照明装置２４は、スイッチ３８の操作によって駆動されて、２階を照明する。本実施形態では、照明装置２４は、貫通孔１２Ａに対して着脱できるので、他の貫通孔１２Ａに付け替えることができる。このため、上グレーチング１２に対する照明装置２４の設置場所を自由に変えることができる。
【００５２】
なお、照明装置２４は、下グレーチング１１の貫通孔１１Ａに着脱可能に差し込まれ、１階を照明する照明手段として用いてもよい。この場合も、照明装置２４は、貫通孔１１Ａに対して着脱されるので、他の貫通孔１１Ａに付け替えることができる。このため、下グレーチング１１に対する照明装置２４の設置場所を自由に変えることができる。
【００５３】
また、上記の実施形態は、上グレーチング１２及び下グレーチング１１が１階と２階との間に配設される構成であったが、上グレーチング１２及び下グレーチング１１が２階と３階との間に配設される構成であっても良く、上グレーチング１２及び下グレーチング１１がいずれかの上下階の間に配設される構成であれば良い。
【００５４】
［第２実施形態］
次に、第２実施形態に係る建物構造について説明する。図９及び図１０は、第２実施形態に係る建物構造の要部を模式的に示す側断面図である。なお、第１実施形態と同一に構成された部分については、同一符号を付して、適宜、説明を省略する。
【００５５】
第２実施形態に係る建物構造２００は、第１実施形態におけるルーバー１４に替えて、１階と２階との間での透光及び通気を遮断可能な遮断手段としてのスライドカバー２１４を備えている。
【００５６】
スライドカバー２１４は、下グレーチング１１の上面に沿ってスライド可能にその上面に設けられている。スライドカバー２１４には、下グレーチング１１の貫通孔１１Ａと略同一の大きさ、かつ、略同一間隔で形成された開口部２１４Ａが形成されている。また、スライドカバー２１４には、下グレーチング１１の貫通孔１１Ａ以上の大きさとされると共に、貫通孔１１Ａと略同一間隔で形成された遮蔽部２１４Ｂが形成されている。遮蔽部２１４Ｂと開口部２１４Ａとは、図９及び図１０に示すように、側断面視にて、交互に配置されている。
【００５７】
スライドカバー２１４は、具体的には、例えば、両側の側端部に配設された一対のレール（図示省略）によって、下グレーチング１１の上面に沿ってスライド可能に支持される構成となっている。さらに、スライドカバー２１４は、下グレーチング１１の貫通孔１１Ａとスライドカバー２１４の開口部２１４Ａとが略一致する開放位置と、下グレーチング１１の貫通孔１１Ａとスライドカバー２１４の遮蔽部２１４Ｂとが略一致する閉鎖位置と、で位置決めされるストッパー（図示省略）が、前記一対のレールに設けられている。
【００５８】
このように、第２実施形態では、第１実施形態におけるルーバー１４と異なり、スライドカバー２１４は上グレーチング１２及び下グレーチング１１に対して間隔をおいて配設されるのではなく、下グレーチング１１の貫通孔１１Ａを遮蔽することにより、スライドカバー２１４が下グレーチング１１の上面に接触して配設される。
【００５９】
これにより、遮断手段が上グレーチング１２及び下グレーチング１１に対して間隔をおいて配設される構成に比べて、上グレーチング１２と下グレーチング１１との間に大きなスペースを確保することができる。また、第２実施形態の構成では、下グレーチング１１の貫通孔１１Ａを遮蔽すれば通気が遮断されるのに対して、下グレーチング１１の貫通孔１１Ａから離れた位置で通気を遮断する構成では、上グレーチング１２と下グレーチング１１との間の空間全体を遮蔽する必要がある。従って、第２実施形態の構成によれば、下グレーチング１１の貫通孔１１Ａから離れた位置で通気を遮断する構成に比べて、遮断手段を構成するスライドカバー２１４の大きさを小さくできる。
【００６０】
なお、スライドカバー２１４をスライド移動させる移動機構、開放位置と閉鎖位置とに位置決めする位置決め機構は、上記の構成に限られず、種々の構成とすることが可能である。
【００６１】
［第３実施形態］
次に、第３実施形態に係る建物構造について説明する。図１１は、第３実施形態に係る建物構造の要部を模式的に示す側断面図である。なお、第１実施形態と同一に構成された部分については、同一符号を付して、適宜、説明を省略する。
【００６２】
第３実施形態に係る建物構造３００は、２階部分に設けられた窓５２と、ルーバー１４と、を連動して開閉する構成とされている。
【００６３】
具体的には、図１１に示すように、建物構造３００は、窓５２を開閉駆動する駆動部３０２と、この駆動部３０２と上述の駆動モータ２２とを作動させるための操作部としての操作スイッチ３０４と、を備えている。
【００６４】
この構成によれば、操作スイッチ３０４をオンにすると、駆動部３０２が窓５２を開放すると共に、駆動モータ２２がルーバー１４を開放する。このように、窓５２の開放とルーバー１４の開放が連動して行われる。これにより、窓５２からの風は、上グレーチング１２及び下グレーチング１１を通過して、１階へ達することができる。
【００６５】
（第１変形例）
第１変形例は、窓５２とルーバー１４とを連動して開閉する第３実施形態の構成の変形例である。図１２は、第３実施形態に係る建物構造の第１変形例の要部を模式的に示す側断面図である。
【００６６】
第１変形例では、図１２に示すように、２階部分に設けられた窓５２の開閉を検知した検知結果に基づき、ルーバー１４を開閉駆動する駆動モータ２２を制御する制御部３１０が設けられている。
【００６７】
この構成によれば、窓５２が開放されると、その開放を検知した検知結果が制御部３１０に入力される。制御部３１０は、その検知結果が入力されると、駆動モータ２２を作動させて、ルーバー１４を開放する。これにより、窓５２からの風は、上グレーチング１２及び下グレーチング１１を通過して、１階へ達することができる。
【００６８】
なお、第３実施形態は、第１変形例を含めて、窓５２以外の建具の開閉に対して、連動してルーバー１４が開閉される構成であってもよい。また、第３実施形態の構成は、第１変形例を含めて、第２実施形態の構成に対しても適用しても良い。
【００６９】
［第４実施形態］
次に、第４実施形態に係る建物構造について説明する。図１３は、第４実施形態に係る建物構造の要部を模式的に示す側断面図である。なお、第１実施形態と同一に構成された部分については、同一符号を付して、適宜、説明を省略する。
【００７０】
第４実施形態に係る建物構造４００では、複数の照明装置２４が、それぞれ、寒色系の光を発する寒色系光源４２６と、暖色系の光を発する暖色系光源４２８と、を備えている。寒色系光源４２６は、具体的には、青色の光を照射するＬＥＤ光源で構成されている。暖色系光源４２８は、具体的には、オレンジ色の光を照射するＬＥＤ光源で構成されている。
【００７１】
第４実施形態に係る建物構造４００は、さらに、寒色系光源４２６及び暖色系光源４２８のそれぞれを所定のタイミングで動作させる制御部４３０を備えている。
【００７２】
制御部４３０が寒色系光源４２６及び暖色系光源４２８のそれぞれを動作させる所定タイミングは、具体的には、上グレーチング１２と下グレーチング１１との間の気温、すなわち、１階と２階との間の気温が、所定温度に達するタイミングである。寒色系光源４２６における所定温度は、暖色系光源４２８における所定温度よりも高い温度に設定され、寒色系光源４２６と暖色系光源４２８とは、異なるタイミングで動作されるようになっている。
【００７３】
本実施形態では、上グレーチング１２と下グレーチング１１との間に、温度計４０２が配設されている。この温度計４０２が測定した温度情報が、制御部４３０に入力されるようになっている。
【００７４】
制御部４３０は、入力された入力温度と、予め設定された基準温度とを比較して、入力温度が基準温度以上である場合には、寒色系光源４２６を動作させ、基準温度未満である場合には、暖色系光源４２８を動作させる。基準温度は、例えば、２３℃とされる。すなわち、この例では、１階と２階との間の気温が２３℃以上に達するタイミングで、寒色系光源４２６が動作され、１階と２階との間の気温が２３℃未満に達するタイミングで、暖色系光源４２８が動作される。
【００７５】
これにより、気温が比較的に高いときに、寒色系光源４２６の照明により涼しさを演出でき、気温が比較的に低いときに、暖色系光源４２８の照明により温かみを演出できる。
【００７６】
なお、上記の基準温度は、２３℃である場合に限られず、任意の温度に設定することが可能である。また、暖色系の色としては、例えば、赤や黄色であっても良く、寒色系の色としては、例えば、紫であっても良く、光の色を任意に決めることが可能である。また、温度計４０２は、１階又は２階に配設しても良く、１階又は２階の気温に基づいて、照明装置２４を動作させるタイミングを決定しても良い。
【００７７】
（第１変形例）
図１４は、第４実施形態に係る建物構造の第１変形例の要部を模式的に示す側断面図である。第１変形例では、制御部４３０が寒色系光源４２６及び暖色系光源４２８のそれぞれを動作させる所定タイミングが、所定スケジュールで決定されたタイミングとされている。
【００７８】
本変形例では、上グレーチング１２と下グレーチング１１との間には、タイマー４４２が配設されている。このタイマー４４２には、一日の時間帯が記憶されており、タイマー４４２は、１日の時間帯に対応させて、自動的に、寒色系光源４２６及び暖色系光源４２８のそれぞれを動作させるようになっている。タイマー４４２は、例えば、早朝において寒色系光源４２６を動作させ、昼間において寒色系光源４２６及び暖色系光源４２８のいずれも動作せず、夕方において暖色系光源４２８を動作させる。
【００７９】
これにより、寒色系の光の作用により、眠っていた頭を覚ますことで、目覚めの良い朝を演出できる。また、暖色系の光の作用により、気持ちを落ち着かせ、就寝に向けて、気持ちをリラックスさせることができる。このように、太陽光と同じように、照明の色を変化させることにより、家の中にいても、自然に、体のサーカディアン・リズムを整え、体調を良好に維持できる。
なお、第４実施形態の構成は、第１変形例を含めて、第２実施形態の構成及び第３実施形態の構成に対しても適用しても良い。
【００８０】
［第５実施形態］
次に、第５実施形態に係る建物構造について説明する。図１５は、第５実施形態に係る建物構造を概略的に示す斜視図である。なお、第１実施形態と同一に構成された部分については、同一符号を付して、適宜、説明を省略する。
【００８１】
第５実施形態に係る建物構造５００では、複数の照明装置２４は、廊下を人が通行する通行方向に沿って、上グレーチング１２に配列されている。また、照明装置２４は、各居室のドア５６の前方においても目印として上グレーチング１２に配設されている。なお、照明装置２４は、１階から２階へ上がるための階段や洗面所にも配設されている。
【００８２】
照明装置２４は、フットライト（常夜灯）として、２階の空間が暗くなると、自動的に点灯するようになっている。これにより、照明装置２４が、道しるべとなり、目的の場所に正確に、かつ、安全に行き着くことができる。
【００８３】
なお、自分の居室から出てきた場合には、例えば、自分の居室から洗面所までの通路において、照明装置２４を点灯するように設定してもよい。このとき、自分だけのオリジナルな光の色を設定できるようにしても良い。
【００８４】
（第１変形例）
図１６は、第５実施形態に係る建物構造の第１変形例を模式的に示す側断面図である。なお、図１６では、ルーバー１４の図示を省略している。第１変形例は、集合住宅において、照明装置２４を道しるべとして用いた例である。
【００８５】
第１変形例では、図１６に示すように、共同部分の敷地入口５０２・駐車場５０４・建物入口５０６・エレベータ（階段）５０８・各住居玄関５１０の道のりに沿って照明装置２４が配設されている。
【００８６】
第１変形例は、住居のカギ（例えば、カードキーやスマートキー）が有する識別情報を検知する検知装置（図示省略）が設けられている。これにより、周りが暗くなってから、住居のカギ（例えば、カードキーやスマートキー）を持った人が、敷地内に入ると、識別情報検知され、その検知された識別情報に基づき、その人の住居の玄関までの照明装置２４のみが点灯するようになっている。
【００８７】
これにより、照明装置２４が、共同部分の敷地入口５０２から住居玄関５１０までの道しるべとなる。この構成では、共同部分の敷地入口５０２から住居玄関５１０までの必要な箇所しか点灯しないため、省エネルギが図れる。
【００８８】
また、キーを持たない人が敷地内に入り込んだ場合には、すべての照明装置２４が点灯し、警告するようにしても良い。また、来訪者に対しては、インターホンで対応した後に、住民の任意で、共同部分の敷地入口５０２から住居玄関５１０までの照明装置２４のスイッチを入れることで、誘導灯として用いても良い。照明装置２４の色は、住居ごとにオリジナルの色とすることができる。
【００８９】
（第２変形例）
図１７は、第５実施形態に係る建物構造の第２変形例の要部を模式的に示す側断面図である。なお、図１７では、ルーバー１４の図示を省略している。第２変形例は、ホテルにおいて、照明装置２４を道しるべとして用いた例である。
【００９０】
第２変形例では、図１７に示すように、エントランスホール５５２・エレベータ（階段）５５４・各部屋５５６・自販機コーナー（図示省略）までの道のりに沿って照明装置２４が配設されている。
【００９１】
ホテルの受付５５８にて、ホテルの受付者５６０の操作により、客５６２の部屋までの照明装置２４を点灯させて誘導する。これにより、客５６２は、点灯された照明装置２４をたどることで、自己の部屋へたどり着くことができる。
【００９２】
また、照明装置２４の光の色は、図１８に示すように、客ごとに変えることにより、複数人を同時に案内することができる。具体的には、例えば、客５６２Ａを部屋５５６Ａまで、照明装置２４の青色の光によって案内し、客５６２Ｂを部屋５５６Ｂまで、照明装置２４の黄色の光によって案内することができる。
【００９３】
また、非常時においては、無条件で各フロアの非常口まで照明装置２４を点灯させるように構成することもできる。なお、第５実施形態の構成は、第１変形例及び第２変形例を含めて、第２実施形態の構成、第３実施形態の構成及び第４実施形態の構成に対しても適用しても良い。
【００９４】
［第６実施形態］
次に、第６実施形態に係る建物構造について説明する。図１９は、第６実施形態に係る建物構造を模式的に示す側断面図である。なお、第１実施形態と同一に構成された部分については、同一符号を付して、適宜、説明を省略する。
【００９５】
第６実施形態に係る建物構造６００は、図１９に示すように、第１実施形態における筐体２６の内部に配設された電源３０に替えて、筐体２６の外部であって、上グレーチング１２と下グレーチング１１との間に配設された蓄電池６０２を備えている。
【００９６】
蓄電池６０２には、太陽光パネル６０６によって発電された電気が貯められるようになっている。これにより、昼間に太陽光パネル６０６によって発電して、蓄電池６０２に電気を貯め、夜には、蓄電池６０２に貯めた電力によって、照明装置２４で照明することができる。この構成によれば、ルーバー１４を開放することで１階と２階との間で通気され、蓄電池６０２を冷却することができる。
【００９７】
なお、第６実施形態においては、上グレーチング１２と下グレーチング１１との間の温度に基づき、ルーバー１４を開閉する構成としても良い。具体的には、図２０に示すように、上グレーチング１２と下グレーチング１１との間に、温度計６１０が配設されている。この温度計６１０が測定した温度情報が、制御部６１２に入力されるようになっている。
【００９８】
制御部６１２は、入力された入力温度と、予め設定された基準温度とを比較して、入力温度が基準温度以上である場合には、ルーバー１４を開くようになっている。基準温度は、例えば、２８℃とされる。なお、上記の基準温度は、２８℃である場合に限られず、任意の温度に設定することが可能である。これにより、１階と２階との間で通気され、蓄電池６０２を効果的に冷却することができる。
【００９９】
また、発電する構成としては、太陽光パネル６０６に限られず、ルーバー１４を開放することで１階と２階との間で生じる対流による風力発電を用いても良い。また、人が廊下を歩く振動を利用する圧電素子による発電を用いても良い。なお、これらの発電の態様を組み合わせて実施することもできる。
【０１００】
（第１変形例）
図２１は、第６実施形態に係る建物構造の第１変形例を模式的に示す概略図である。第１変形例では、１階の一部に駐車場スペース６５０が設けられている。蓄電池６０２には、図２１に示すように、予め登録された自動車のバッテリーに電気的に接続可能な接続端子を一端部に有する充電ケーブル６５２の他端部が電気的に接続されている。この充電ケーブル６５２を駐車場スペース６５０へ下降させるとともに、その下降させた充電ケーブル６５２を上昇させる昇降装置６５４が、上グレーチング１２と下グレーチング１１との間に配設されている。
【０１０１】
予め登録された自動車６５６を検知する検知装置（図示省略）が設けられており、検知装置６５６が、予め登録された自動車６５６が駐車場スペース６５０に進入したことを検知すると、昇降装置６５４は、充電ケーブル６５２を下グレーチング１１の貫通孔１１Ａを通じて駐車場スペース６５０へ下降させる。これにより、自動車６５６の利用者は、充電ケーブル６５２を自動車６５６のバッテリーに接続して充電することができる。
【０１０２】
自動車６５６のバッテリーへの充電が終了した後は、自動車６５６の利用者の昇降装置６５４に対する操作等により、充電ケーブル６５２が上グレーチング１２と下グレーチング１１との間に収納されるようになっている。
【０１０３】
以上のように、予め登録された自動車６５６の駐車スペース６５０の進入により、充電ケーブル６５２の接続端子６５２Ａが自動的に駐車スペースへ下降されるので、自動車６５６の利用者の利便性が向上する。また、充電ケーブル６５２は、使用されないときにおいて、上グレーチング１２と下グレーチング１１との間に収納されるので、邪魔にならない。また、充電ケーブル６５２を駐車場スペース６５０へ下降させる際に、下グレーチング１１の貫通孔１１Ａを利用して充電ケーブル６５２を通すので、充電ケーブル６５２を通すための通し孔等を天井部分に形成する必要がない。
【０１０４】
なお、第１変形例では、蓄電池６０２が、照明装置２４へ電力を供給せず、充電ケーブル６５２へのみ電力を供給刷る構成であってもよい。
また、第６実施形態の構成は、第１変形例を含めて、第２実施形態の構成、第３実施形態の構成、第４実施形態の構成及び第５実施形態の構成に対しても適用しても良い。
【０１０５】
本発明は、上記の実施形態に限るものではなく、種々の変形、変更、改良が可能である。
【符号の説明】
【０１０６】
１０,２００,３００,４００,５００,６００   建物構造
１１   下グレーチング（天井部材）
１１Ａ 貫通孔
１２   上グレーチング（床部材）
１２Ａ 貫通孔
１４   ルーバー（遮断手段）
２４   照明装置（照明手段）
５２   窓（建具）
２１４ スライドカバー（遮断手段）
４２６ 寒色系光源
４２８ 暖色系光源
４３０ 制御部
６０２ 蓄電池
【図１】
0005697903.tif 000002
【図２】
0005697903.tif 000003
【図３】
0005697903.tif 000004
【図４】
0005697903.tif 000005
【図５】
0005697903.tif 000006
【図６】
0005697903.tif 000007
【図７】
0005697903.tif 000008
【図８】
0005697903.tif 000009
【図９】
0005697903.tif 000010
【図１０】
0005697903.tif 000011
【図１１】
0005697903.tif 000012
【図１２】
0005697903.tif 000013
【図１３】
0005697903.tif 000014
【図１４】
0005697903.tif 000015
【図１５】
0005697903.tif 000016
【図１６】
0005697903.tif 000017
【図１７】
0005697903.tif 000018
【図１８】
0005697903.tif 000019
【図１９】
0005697903.tif 000020
【図２０】
0005697903.tif 000021
【図２１】
0005697903.tif 000022